(57)【要約】【課題】　軸部の軸線方向への長さを短くすることができ、配線器具の配線用ボックスへの取付作業の簡易化を図ることができる配線器具固定用ビス及びそれを備えた配線用ボックスを提供することにある。【解決手段】　固定用ビス１１は軸部１１ａと頭部１１ｂとよりなり軸部１１ａの軸線方向に沿って、軸部１１ａの先端側から第１折取溝１２ａと第２折取溝１２ｂとが２箇所に設けられている。各折取溝１２ａ、１２ｂはそれぞれ軸部１１ａの周方向に沿って切り欠き形成され、それら折取溝１２ａ、１２ｂが形成された部分はその他の部分より細くなっている。そして、第１折取溝１２ａ又は第２折取溝１２ｂから軸部１１ａより先端側を折り取ることにより軸部１１ａの軸線方向への長さを短くすることができる。【選択図】　図１
2004147497.tif 000002
【特許請求の範囲】
【請求項１】
建築物の壁内に設置された配線用ボックスの配線器具取付部に螺合されて、前記配線用ボックスに配線器具を取り付けて壁面に配線器具を取付可能とする配線器具固定用ビスであって、
　軸部と頭部とよりなり、前記軸部には同軸部を先端側から折り取り、当該軸部の軸線方向への長さを短くすることを可能とする折取溝が設けられている配線器具固定用ビス。
【請求項２】
前記折取溝は、軸部の軸線方向に沿って複数箇所に設けられ、軸部の軸線方向への長さを段階的に調整可能に設けられている請求項１に記載の配線器具固定用ビス。
【請求項３】
前記折取溝は、軸部の周方向に沿ってＶ溝状に切り欠き形成されている請求項１又は請求項２に記載の配線器具固定用ビス。
【請求項４】
建築物の壁内に設置され、配線器具固定用ビスが螺合可能な配線器具取付部を備えたボックス本体を有し、前記配線器具固定用ビスの配線器具取付部への螺合により配線器具をボックス本体に取り付けて壁面に配線器具を取付可能とする配線用ボックスであって、
　前記配線器具固定用ビスは軸部と頭部とよりなり、前記軸部には同軸部を先端側から折り取り、当該軸部の軸線方向への長さを短くすることを可能とする折取溝が設けられ、同配線器具固定用ビスが前記ボックス本体に予め備え付けられている配線器具固定用ビスを備えた配線用ボックス。
【請求項５】
前記折取溝は、軸部の軸線方向に沿って複数箇所に設けられ、軸部の軸線方向への長さを段階的に調整可能に設けられている請求項４に記載の配線器具固定用ビスを備えた配線用ボックス。
【請求項６】
前記配線器具固定用ビスの軸部の軸線方向への長さはボックス本体の厚みより長く形成され、折取溝から軸部の先端側が折り取られた軸部の軸線方向への長さはボックス本体の厚みより短く形成されている請求項４又は請求項５に記載の配線器具固定用ビスを備えた配線用ボックス。
【請求項７】
前記折取溝から軸部の先端側が折り取られ、軸部の軸線方向への長さはボックス本体の厚みより短く形成された配線器具固定用ビスが、配線用ボックスの底板から突出するのを防止すべく構成した請求項６に記載の配線器具固定用ビスを備えた配線用ボックス。
【請求項８】
前記配線器具取付部が、同配線器具取付部の下端部とボックス本体の底板との間に空間を有するように形成され、折取溝より軸部を折り取ることにより、当該配線器具取付部に螺合された配線器具固定用ビスの軸部の先端部が配線器具取付部の下端側から前記空間に露出するのを防止すべく構成した請求項４〜請求項６のいずれか一項に記載の配線器具固定用ビスを備えた配線用ボックス。
【発明の詳細な説明】
【技術分野】
【０００１】
　この発明は、建築物内の壁に設置された配線用ボックスの配線器具取付部に螺合されて、配線用ボックスに配線器具を取付可能とする配線器具固定用ビス及びそれを備えた配線用ボックスに関するものである。
【背景技術】
【０００２】
　従来より建築物内の壁の表面にコンセント等の配線器具を取り付けるために壁裏には配線用ボックスが設置され、この配線用ボックスは開口を有する有底四角箱状をなすボックス本体を備えている。そのボックス本体の底板上には配線用ボックスに対して配線器具を取り付ける際に使用される一対の配線器具固定用ビスが保持されている。また、ボックス本体の一側壁には、その側壁を貫通してビス孔が２箇所に形成され、そのビス孔から壁裏側に立設された柱にビスを固定することにより、配線用ボックスを柱に取り付けることができるようになっている。
【０００３】
　ボックス本体の上下両側壁の内側面には、それぞれボックス本体の開口側に臨む配線器具取付部が相対向して形成され、各配線器具取付部内には、前記配線器具固定用ビスの雄ねじが螺合可能な雌ねじが螺刻された雌ねじ部が形成されている。各配線器具取付部の前面にはそれぞれ取付孔が形成され、各取付孔から前記雌ねじ部に前記配線器具固定用ビスを挿入して螺合することができるようになっている。配線器具を保持した状態で配線用ボックスに取り付けられる配線器具保持枠は、四角枠状をなし、その上下両端部には前記取付孔に対応する孔が形成されている。
【０００４】
　そして、この配線用ボックスを使用して配線器具を壁表に取り付けるには、まず、配線用ボックスをその前面が前記柱の前面と面一になるように柱に取り付け、その配線用ボックス内に、ケーブルを長さに余裕を持った余長部を有した状態で収容する。次いで、柱及び配線用ボックスの前方に壁材を設置し、壁を形成する。その壁表に貫通孔を開け、配線用ボックスの開口を壁表側に臨ませる。
【０００５】
　次に、配線用ボックス内のケーブルに配線器具を接続し、その配線器具を配線器具保持枠に保持させる。続いて、一対の配線器具固定用ビスを底板から取り外し、前記配線器具保持枠の孔から配線器具固定用ビスを前記雌ねじ部に螺合して、配線器具保持枠を介して配線器具を配線用ボックスに取付ける。このとき、配線器具固定用ビスは底板に予め保持されているため、配線器具固定用ビスを別途用意する場合と異なり配線器具の取付作業の簡易化が図られる。その結果、配線器具が配線用ボックス内に収容されるとともに、壁に取付けられる。
【０００６】
　前記配線器具固定用ビスは軸部の軸線方向への長さが４０ｍｍ程度に設定されている。これは配線用ボックスの前面に配置される構築材が例外的に著しく厚くなる場合、例えば壁材の厚みが厚く（例えば厚さ１２．５ｍｍ）、その壁材の表面に厚い仕上壁材が別途設けられ、さらには配線用ボックスの前面に胴縁材（厚さ１５ｍｍ）が設置されるような場合であっても配線器具固定用ビスを各構築材を貫通して配線器具取付部に螺合可能とするためである。
【発明の開示】
【発明が解決しようとする課題】
【０００７】
　ところが、実際には配線用ボックスの前面には前記のような構築材が設置される場合がほとんどなく、厚さ３ｍｍ程度のプラスチックボードのみが壁材として設置されたり、配線用ボックスの前面に泥壁が形成されて壁材が設置されない場合もある。即ち、ほとんどの場合、配線器具固定用ビスはその軸線方向への長さが４０ｍｍより短くても配線器具取付部に螺合可能となる。従って、配線器具固定用ビスの軸部の軸線方向への長さが４０ｍｍ必要としない場合にも、上記配線器具固定用ビスを使用して配線器具を配線用ボックスに取り付けなければならない。その結果、配線器具取付部の雌ねじ部に対する雄ねじの螺合量が多くなり、配線器具の取付作業が非常に面倒であるという問題があった。
【０００８】
　また、近年の住宅事情においては、壁の厚みが薄くなる傾向にあり、その壁に対応するために配線用ボックスはその厚みが薄く形成されたものが使用されている。そのため、例えば、前記薄型の配線用ボックス（例えば厚さ３０ｍｍ）を使用し、その配線用ボックスの前面に泥壁を形成して配線器具取付部に配線器具固定用ビスを螺合すると、その配線器具固定用ビスの先端がボックス本体の底板から突出してしまう。その結果、配線器具固定用ビスが壁内に収まらなくなり、その薄型の配線用ボックスを使用して配線器具を壁に取り付けることができなくなるという問題もあった。
【０００９】
　さらに、前記薄型の配線用ボックスはその内部空間を広くし、前記余長部を有するケーブルを収容可能とすべく形成されている。即ち、配線用ボックス内において、配線器具取付部が配線用ボックスの前面のみに形成されて底板方向へ延設されておらず、配線器具取付部の下端部と底板との間に空間が形成されている。
【００１０】
　そのため、配線器具取付部に配線器具固定用ビスを螺合するとその配線器具固定用ビスが配線用ボックス内で露出してしまい、配線用ボックス内に収容された余長部を有するケーブルや、そのケーブルと配線器具との接続部に配線器具固定用ビスが接触したりするおそれがあるという問題があった。加えて、配線用ボックス内に収容されたケーブルを壁表側に引き出すとき、ケーブルが配線器具固定用ビスに絡んだりしてケーブルの壁表への引き出し作業が行いにくくなるという問題もあった。
【００１１】
　この発明は、このような従来技術に存在する問題点に着目してなされたものである。その目的とするところは、軸部の軸線方向への長さを短くすることができ、配線器具の配線用ボックスへの取付作業の簡易化を図ることができる配線器具固定用ビス及びそれを備えた配線用ボックスを提供することにある。
【００１２】
　その他の目的とするところは、軸部の軸線方向への長さを短くすることができ、配線用ボックス内に露出した軸部に起因する不具合をなくすことができる配線器具固定用ビス及びそれを備えた配線用ボックスを提供することにある。
【課題を解決するための手段】
【００１３】
　上記の目的を達成するために、請求項１に記載の発明の配線器具固定用ビスは、建築物の壁内に設置された配線用ボックスの配線器具取付部に螺合されて、前記配線用ボックスに配線器具を取り付けて壁面に配線器具を取付可能とする配線器具固定用ビスであって、軸部と頭部とよりなり、前記軸部には同軸部を先端側から折り取り、当該軸部の軸線方向への長さを短くすることを可能とする折取溝が設けられているものである。
【００１４】
　請求項２に記載の発明の配線器具固定用ビスは、請求項１に記載の発明において、前記折取溝は、軸部の軸線方向に沿って複数箇所に設けられ、軸部の軸線方向への長さを段階的に調整可能に設けられているものである。
【００１５】
　請求項３に記載の発明の配線器具固定用ビスは、請求項１又は請求項２に記載の発明において、前記折取溝は、軸部の周方向に沿ってＶ溝状に切り欠き形成されているものである。
【００１６】
　請求項４に記載の発明の配線器具固定用ビスを備えた配線用ボックスは、建築物の壁内に設置され、配線器具固定用ビスが螺合可能な配線器具取付部を備えたボックス本体を有し、前記配線器具固定用ビスの配線器具取付部への螺合により配線器具をボックス本体に取り付けて壁面に配線器具を取付可能とする配線用ボックスであって、前記配線器具固定用ビスは軸部と頭部とよりなり、前記軸部には同軸部を先端側から折り取り、当該軸部の軸線方向への長さを短くすることを可能とする折取溝が設けられ、同配線器具固定用ビスが前記ボックス本体に予め備え付けられているものである。
【００１７】
　請求項５に記載の発明の配線器具固定用ビスを備えた配線用ボックスは、請求項４に記載の発明において、前記折取溝は、軸部の軸線方向に沿って複数箇所に設けられ、軸部の軸線方向への長さを段階的に調整可能に設けられているものである。
【００１８】
　請求項６に記載の発明の配線器具固定用ビスを備えた配線用ボックスは、請求項４又は請求項５に記載の発明において、前記配線器具固定用ビスの軸部の軸線方向への長さはボックス本体の厚みより長く形成され、折取溝から軸部の先端側が折り取られた軸部の軸線方向への長さはボックス本体の厚みより短く形成されているものである。
【００１９】
　請求項７に記載の発明の配線器具固定用ビスを備えた配線用ボックスは、請求項６に記載の発明において、前記折取溝から軸部の先端側が折り取られ、軸部の軸線方向への長さはボックス本体の厚みより短く形成された配線器具固定用ビスが、配線用ボックスの底板から突出するのを防止すべく構成したものである。
【００２０】
　請求項８に記載の発明の配線器具固定用ビスを備えた配線用ボックスは、請求項４〜請求項６のいずれか一項に記載の発明において、前記配線器具取付部が、同配線器具取付部の下端部とボックス本体の底板との間に空間を有するように形成され、折取溝より軸部を折り取ることにより、当該配線器具取付部に螺合された配線器具固定用ビスの軸部の先端部が配線器具取付部の下端側から前記空間に露出するのを防止すべく構成したものである。
【発明の効果】
【００２１】
　以上詳述したように、この発明によれば、次のような効果を奏する。
　請求項１に記載の発明の配線器具固定用ビスによれば、軸部の軸線方向への長さを短くすることができ、配線器具の配線用ボックスへの取付作業の簡易化を図ることができる。また、軸部の軸線方向への長さを短くすることができ、配線用ボックス内に露出した軸部に起因する不具合をなくすことができる。
【００２２】
　請求項２に記載の発明の配線器具固定用ビスによれば、請求項１に記載の発明の効果に加えて、軸部の軸線方向への長さを段階的に調整して短くすることができ、配線用ボックスの前方に設置される壁材の厚みに対応することができる。
【００２３】
　請求項３に記載の発明の配線器具固定用ビスによれば、請求項１又は請求項２に記載の発明の効果に加えて、折取溝から軸部を容易に折り取ることができる。
　請求項４に記載の発明の配線器具固定用ビスを備えた配線用ボックスによれば、配線器具の取付時に配線器具固定用ビスを別途用意する必要がなく、配線器具の取付作業の迅速化を図ることができる。
【００２４】
　請求項５に記載の発明の配線器具固定用ビスを備えた配線用ボックスによれば、請求項４に記載の発明の効果に加えて、軸部の軸線方向への長さを段階的に調整して短くすることができ、ボックス本体の前方に設置される壁材の厚みに対応することができるとともに、軸線方向への長さが種々に設定された複数種類の配線器具固定用ビスを別途用意する手間を省くことができる。
【００２５】
　請求項６、７に記載の発明の配線器具固定用ビスを備えた配線用ボックスによれば、請求項４又は請求項５に記載の発明の効果に加えて、軸部の先端側を折取溝より折り取って配線器具を取り付けたとき、軸部の先端がボックス本体の裏面より突出するのを防止することができる。そのため、軸部がボックス本体の裏側に配置された壁材に当接してそのボックス本体が壁内に取付不可能となり、壁に配線器具が取付不可能となるという不具合をなくすことができる。
【００２６】
　請求項８に記載の発明の配線器具固定用ビスを備えた配線用ボックスによれば、ボックス本体内に収容されたケーブルや、そのケーブルと配線器具との接続部に配線器具固定用ビスが接触したりするおそれをなくすことができる。また、配線器具取付部と底板との間に空間を形成して、配線用ボックス内の空間を広くして余長部を有したケーブルを収容することができる。
【発明を実施するための最良の形態】
【００２７】
　以下、この発明を配線器具固定用ビス、それを備えた配線用ボックスに具体化した一実施形態を、図面に基づいて詳細に説明する。
　図１に示すように、配線器具固定用ビス１１（以下、単に固定用ビス１１と称す）は断面円形状をなす軸部１１ａと頭部１１ｂとよりなり、前記軸部１１ａには同軸部１１ａを先端側から折り取り、その軸部１１ａの軸線方向への長さを短くすることを可能とする折取溝１２ａ、１２ｂが設けられているものである。固定用ビス１１の軸部１１ａの軸線方向への長さはＬ１に設定されている。
【００２８】
　固定用ビス１１の軸部１１ａの外周面には雄ねじが螺刻され、軸部１１ａの軸線方向に沿って、軸部１１ａの先端側から第１折取溝１２ａと第２折取溝１２ｂとが設けられている。各折取溝１２ａ、１２ｂはそれぞれ軸部１１ａの周方向に沿ってＶ溝状に切り欠き形成され、それら折取溝１２ａ、１２ｂが形成された部分は軸部１１ａの中心線へ向かうに従いその他の部分より細くなって形成されている。
【００２９】
　そして、第１折取溝１２ａから軸部１１ａの先端側を折り取ることにより軸部１１ａの軸線方向への長さをＬ２に設定して、折り取り前の軸部１１ａの軸線方向への長さＬ１より短くすることができる。さらに、第２折取溝１２ｂから軸部１１ａの先端側を折り取ることにより軸部１１ａの軸線方向への長さをＬ３に設定して、前記軸部１１ａの軸線方向への長さＬ２より短くすることができる。従って、固定用ビス１１の軸線方向への長さを２段階に調整可能になっている。
【００３０】
　固定用ビス１１の軸部１１ａを前記各折取溝１２ａ、１２ｂから折り取り可能に構成された図２（ａ）に示す配線器具固定用ビス１１の折取具１３（以下、単に折取具１３と称す）について説明する。折取具１３は前記第１折取溝１２ａ及び第１折取溝１２ａより先端側の軸部１１ａを露出させた状態で、第１折取溝１２ａより基端側の軸部１１ａ及び頭部１１ｂを保持可能な保持部１４を備えたものである。また、第２折取溝１２ｂ及び第２折取溝１２ｂより先端側の軸部１１ａを露出させた状態で、第２折取溝１２ｂより基端側の軸部１１ａ及び頭部１１ｂを保持可能な保持部１４を備えたものでもある。
【００３１】
　図２（ｂ）に示すように、保持部１４は一対の分割体１３ａ、１３ｂを組み合わせて構成されている。前記一対の分割体１３ａ、１３ｂは、それぞれ矩形状をなす金属板をその長さ方向に延びる中心線に沿って断面半円状をなす収容溝１５が形成されるように折り曲げて形成されている。前記各収容溝１５には、それぞれ軸部１１ａを収容することができるとともに、頭部１１ｂを収容可能な第１収容孔１６及び第２収容孔１７が収容溝１５の長さ方向に沿って形成されている。
【００３２】
　各分割体１３ａ、１３ｂにおいて、頭部１１ｂが第１収容孔１６に収容された状態において、頭部１１ｂから第１折取溝１２ａの頭部１１ｂ側端縁までの軸部１１ａは収容溝１５に収容されるようになっている。それと同時に、第１折取溝１２ａの頭部１１ｂ側端縁は各分割体１３ａ、１３ｂの長さ方向における一端縁に位置する。このとき、第１折取溝１２ａより先端側の軸部１１ａは各分割体１３ａ、１３ｂの一端縁より外方へ突出する。
【００３３】
　一方、各分割体１３ａ、１３ｂにおいて、頭部１１ｂが第２収容孔１７に収容された状態において、頭部１１ｂから第２折取溝１２ｂの頭部１１ｂ側端縁までの軸部１１ａは収容溝１５に収容されるようになっている。それと同時に、第２折取溝１２ｂの頭部１１ｂ側端縁は各分割体１３ａ、１３ｂの長さ方向における一端縁に位置する。このとき、第２折取溝１２ｂより先端側の軸部１１ａは分割体１３ａ、１３ｂの一端縁より外方へ突出する。各分割体１３ａ、１３ｂの長さ方向における他端部の両側部にはそれぞれねじ孔１８が形成され、各ねじ孔１８には一対に分割体１３ａ、１３ｂの締付手段としてのねじ１９が螺合可能になっている。
【００３４】
　そして、一方の分割体１３ａのねじ孔１８と他方の分割体１３ｂのねじ孔１８とを対応させて各ねじ孔１８にねじ１９を螺合する。その結果、図２（ａ）に示すように、一対の分割体１３ａ、１３ｂにより保持部１４を構成するとともに、それら分割体１３ａ、１３ｂの収容溝１５同士により軸部１１ａ及び頭部１１ｂを保持可能な断面円形状をなす溝部１４ａが形成されるようになっている。
【００３５】
　続いて、固定用ビス１１が備え付けられる配線用ボックス２０について説明する。図５に示すように、配線用ボックス２０は、建築物内に立設された壁２１内に設置され、前記壁２１は一対の壁材２１ａ、２１ｂを相対向して立設して形成されている。一方の壁材２１ａの前方には柱２２が立設され、その柱２２に配線用ボックス２０を取り付けた後に、その配線用ボックス２０の前方に他方の壁材２１ｂを立設して壁２１が形成されている。
【００３６】
　図３に示すように、合成樹脂製の配線用ボックス２０は、前面（図３では左側）に開口を有する有底四角箱状のボックス本体２３を備えている。ボックス本体２３の底板２４は平面長方形状をなし、底板２４の周縁には、その底板２４の各辺に対応する側壁２５〜２８が前方（図３では左方）に向けて底板２４に対し略垂直に立設されている。各側壁２５〜２８の幅方向への長さ、即ちボックス本体２３の厚みはＴ１に設定されている。
【００３７】
　前記ボックス本体２３の上下両側壁２５，２６の相対向する両側部には、それぞれボックス本体２３の開口に連通する連通部２３ａが形成され、各連通部２３ａの外端縁には平面円形状をなし、ケーブル３９が配線可能な配線貫通孔２９が形成されている。ボックス本体２３の上側壁２５及び下側壁２６の内面中央には、それぞれ上側壁２５及び下側壁２６の前端から底板２４側へ延びる配線器具取付部３０が一体形成され、各配線器具取付部３０の前面には取付孔３０ａが形成されている。また、図４に示すように、前記取付孔３０ａは、ボックス本体２３の前面開口に臨み各配線器具取付部３０内には内周に前記固定用ビス１１の雄ねじが螺合可能な雌ねじが螺刻された雌ねじ部３０ｂが形成されている。
【００３８】
　左側壁２７には長孔状のビス孔３１が所定間隔をおいて３箇所に貫通形成され、前記柱２２に対して前記ビス孔３１からビス３２を固定することにより、配線用ボックス２０をその柱２２に取り付けることができるようになっている。図３に示すように、底板２４の上部の一側部には３箇所に保持突起３３が一定間隔をおいて突設され、隣接する保持突起３３の間に固定用ビス１１の軸部１１ａを保持可能になっている。そして、前記保持突起３３による軸部１１ａの保持によりボックス本体２３の底板２４上に２本の固定用ビス１１を保持して、前記構成の固定用ビス１１を備えた配線用ボックス２０が構成されるようになっている。図６に示すように、配線用ボックス２０に保持される固定用ビス１１の軸部１１ａの軸線方向への長さＬ１はボックス本体２３の厚みＴ１より長く形成されている。
【００３９】
　また、第１折取溝１２ａ又は第２折取溝１２ｂから軸部１１ａを折り取ることにより得られる固定用ビス１１の軸部１１ａの軸線方向への長さＬ２又はＬ３はそれぞれボックス本体２３の厚みＴ１より短くなっている。
【００４０】
　図５に示すように、配線用ボックス２０の前面に配置される配線器具保持枠３４は略四角枠状をなし、その中央部に配線器具３５を保持することができるようになっている。また、配線器具保持枠３４の上下両端部には孔３４ａが形成され、各孔３４ａから前記取付孔３０ａに固定用ビス１１を挿通可能になっている。そして、図９に示すように、各固定用ビス１１の雄ねじを前記雌ねじ部３０ｂに螺合すると、配線器具保持枠３４を介して配線器具３５をボックス本体２３、即ち配線用ボックス２０に取付けることができるとともに、壁２１に配線器具３５を取り付けることができる。
【００４１】
　前記固定用ビス１１の使用方法について以下に記載する。
　まず、図４に示すように、柱２２に対して配線用ボックス２０を取り付け、その配線用ボックス２０内にケーブル３９を配線する。次いで、図５に示すように、配線用ボックス２０の前面に他方の壁材２１ｂを設置して配線用ボックス２０を一対の壁材２１ａ、２１ｂの間に配置するとともに、壁２１を形成する。続いて、配線用ボックス２０の前面開口が他方の壁材２１ｂの表側に臨むように貫通孔３６を形成し、その貫通孔３６から配線用ボックス２０内のケーブル３９を壁２１の表側へ引き出す。そのケーブル３９に配線器具３５を接続し、その配線器具３５を配線器具保持枠３４に保持させる。
【００４２】
　次いで、配線用ボックス２０の底板２４に保持された固定用ビス１１をそれぞれ保持突起３３間から取外す。図６に２点鎖線で示すように、固定用ビス１１の軸部１１ａの軸線方向への長さＬ１は配線用ボックス２０の厚みＴ１より長く形成され、固定用ビス１１をそのまま使用すると配線用ボックス２０の裏側の壁材２１ａに当たってしまう。そのため、軸部１１ａの軸線方向への長さＬ１を調整する。
【００４３】
　まず、図２（ｂ）に示すように、一方の分割体１３ａにおいて、第２収容孔１７に固定用ビス１１の頭部１１ｂを収容するとともに、収容溝１５内に軸部１１ａを収容する。このとき、第２折取溝１２ｂにおいて、頭部１１ｂ側端縁が分割体１３ａの一端縁に位置する。次いで、他方の分割体１３ｂを一方の分割体１３ａ上に配置し、各ねじ孔１８にねじ１９を螺合する。すると、図７に示すように、一対の分割体１３ａ、１３ｂにより保持部１４及び溝部１４ａが形成されて折取具１３が構成される。その折取具１３の溝部１４ａに固定用ビス１１の頭部１１ｂ及び第２折取溝１２ｂより頭部１１ｂ側が収容されるとともに、保持部１４により固定用ビス１１が保持される。それと同時に、折取具１３の一端縁より外方には第２折取溝１２ｂより先端側の軸部１１ａが露出する。
【００４４】
　続いて、折取具１３の他端側を手で把持するとともに、図示しないプライヤーにより軸部１１ａを把持し、折取具１３の一端縁を支点にし、てこの原理を利用して軸部１１ａの先端側を図７に矢印で示す方向へ折り曲げる。このとき、固定用ビス１１は一対の分割体１３ａ、１３ｂにより挟持されるとともに、軸部１１ａの断面形状に対応する断面円形状の溝部１４ａ内に収容されている。加えて、ねじ１９により一対の分割体１３ａ、１３ｂが締め付けられている。そのため、軸部１１ａの折り曲げの際に、一対の分割体１３ａ、１３ｂの分離が防止されるとともに、軸部１１ａが保持部１４に保持されて折取具１３内を移動するのが防止される。すると、第２折取溝１２ｂはその他の部分より細く形成されているため、その第２折取溝１２ｂより軸部１１ａの先端側が折り取られる。
【００４５】
　その後、図８に示すように、各ねじ孔１８からねじ１９を螺退するとともに、一対の分割体１３ａ、１３ｂを分解して固定用ビス１１を取り出す。その結果、図８に２点鎖線で示すように、第２折取溝１２ｂより先端側の軸部１１ａが折り取られる。そして、折り取られた分だけ軸部１１ａの軸線方向への長さが短く形成され、軸部１１ａの軸線方向への長さがＬ３に設定された固定用ビス１１が得られる。この作業を他方の固定用ビス１１に対しても同様に行う。
【００４６】
　そして、図９に示すように、配線器具保持枠３４の各孔３４ａから配線器具取付部３０の雌ねじ部３０ｂに固定用ビス１１の雄ねじを螺合する。このとき、軸部１１ａの雄ねじの雌ねじ部３０ｂに対する螺進量は、軸部１１ａを折り取る前の固定用ビス１１と比較して少なくなっている。その結果、壁２１の表側に配線器具保持枠３４が取り付けられ、配線器具３５が壁２１の表側に取り付けられる。また、固定用ビス１１は軸部１１ａが折り取られているため、軸部１１ａの軸線方向への長さＬ３が配線用ボックス２０の厚みＴ１より短くなり、固定用ビス１１が配線用ボックス２０の底板２４から突出するのが防止される。
【００４７】
　前記の実施形態によって発揮される効果について、以下に記載する。
　（１）　第２折取溝１２ｂから軸部１１ａの先端側を折り取ることにより、折り取り前の軸部１１ａの軸線方向への長さＬ１を容易に短くすることができる。
従って、軸部１１ａを折り取る前の固定用ビス１１と異なり、固定用ビス１１の雄ねじを雌ねじ部３０ｂに螺進する量を減らすことができ、配線器具保持枠３４を介した配線器具３５の壁２１に対する取付作業の簡易化を図ることができる。
【００４８】
　（２）　第１折取溝１２ａ又は第２折取溝１２ｂから軸部１１ａの先端側を折り取ることにより軸部１１ａの軸線方向への長さをＬ２又はＬ３にして、軸部１１ａの軸線方向への長さを配線用ボックス２０の厚みＴ１より短くすることができる。そのため、固定用ビス１１を使用して配線器具保持枠３４を配線用ボックス２０に取り付けたとき、固定用ビス１１が底板２４の背面側へ突出して一方の壁材２１ａに当たるのを防止することができる。従って、固定用ビス１１が壁２１内に収まらなくなり、配線用ボックス２０を使用して配線器具３５を壁２１に取り付けることができなくなるという不具合をなくすことができる。
【００４９】
　（３）　各折取溝１２ａ、１２ｂは軸部１１ａの中心線に向かうに従い細くなるように断面Ｖ溝状に形成されている。そのため、各折取溝１２ａ、１２ｂが断面コ字状をなすように形成されている場合と比較して各折取溝１２ａ、１２ｂから軸部１１ａを容易に折り取ることができる。
【００５０】
　（４）　軸部１１ａには第１及び第２折取溝１２ａ、１２ｂが形成されているため、他方の壁材２１ｂの厚みに対応させて軸部１１ａの軸線方向への長さを変更することができる。従って、折取不能の固定用ビスが配線用ボックス２０に備え付けられている場合と異なり、３種類の他方の壁材２１ｂの厚みに対応することができる。従って、軸部１１ａの軸線方向への長さＬ１が複数種類に設定された固定用ビスを別途用意する手間を省くことができる。また、固定用ビス１１の雄ねじを雌ねじ部３０ｂに螺進する量を多くならないようにして配線器具３５の取付作業の簡易化を図ることができる。
【００５１】
　（５）　固定用ビス１１は壁２１内に設置された配線用ボックス２０に予め保持されているため、配線器具３５の取付時に固定用ビス１１を別途用意する必要がなく、配線器具３５の取付作業の迅速化を図ることができる。
【００５２】
　（６）　固定用ビス１１の各折取溝１２ａ、１２ｂからの折り取り作業は折取具１３を使用して行われる。そのため、固定用ビス１１の折り取り作業を手で行う場合と異なり、折り取り作業の簡易化を図ることができる。
【００５３】
　（７）　一対の分割体１３ａ、１３ｂにより固定用ビス１１を挟持するため、軸部１１ａの折り取り作業中に軸部１１ａが折取具１３から抜け出るのを防止して折り取り作業の簡易化を図ることができる。
【００５４】
　（８）　固定用ビス１１を保持した一対の分割体１３ａ、１３ｂはねじ１９により締め付けられるため、軸部１１ａを折り取ろうとしたとき一対の分割体１３ａ、１３ｂが分離するのを防止することができる。従って、固定用ビス１１を溝部１４ａ内に確実に保持して軸部１１ａの折り取り作業を確実に行うことができる。
【００５５】
　（９）　溝部１４ａは断面円形状をなす軸部１１ａに対応する断面円形状をなすため、軸部１１ａを溝部１４ａ内に安定した状態で保持することができる。
　（１０）　溝部１４ａに固定用ビス１１を収容して保持部１４に保持させたとき、第１又は第２折取溝１２ａ、１２ｂの頭部１１ｂ側端縁が折取具１３の一端縁に位置するように形成されている。そのため、一体の折取具１３を使用して第１折取溝１２ａ又は第２折取溝１２ｂからも軸部１１ａを容易に折り取ることができ、各折取溝１２ａ、１２ｂに対応した折取具１３を別々に用意する場合と異なり折り取り作業の簡易化を図ることができる。
【００５６】
　（１１）　保持部１４は固定用ビス１１の軸部１１ａと頭部１１ｂを保持可能に形成されている。そのため、保持部１４により固定用ビス１１を保持し、軸部１１ａを折り取ろうとしたとき固定用ビス１１が溝部１４ａ内で移動するのを防止して軸部１１ａの折り取り作業を容易に行うことができる。
【００５７】
　（１２）　折取具１３の他端側を把持し、一端縁を支点にして軸部１１ａの先端側を折り曲げるため、てこの原理により軸部１１ａを容易に折り曲げることができ、軸部１１ａの折り取り作業を容易に行うことができる。
【００５８】
　なお、本実施形態は、次のように変更して具体化することも可能である。
　・　固定用ビス１１を折取具１３を使用しないで第１又は第２折取溝１２ａ、１２ｂから折り取ってもよい。
【００５９】
　・　図１０に示すように、折取具１３は、その厚みが固定用ビス１１の頭部１１ｂの直径より大きくなるように直方体状に形成され、その折取具１３の一端側の上面からは、頭部１１ｂの直径より深い溝部１４ａが凹設されているとともに、溝部１４ａには第１及び第２収容孔１６，１７が形成されている。さらに、折取具１３は、その上方から溝部１４ａ及び第１又は第２収容孔１６，１７に固定用ビス１１の軸部１１ａ及び頭部１１ｂを収容したとき、各折取溝１２ａ、１２ｂが、折取具１３の一端縁に位置するように形成されている。折取具１３の他端側には手で把持可能な把持部３７が形成され、その把持部３７の上面にはカッターナイフの刃部を折り取り可能とするため、前記刃部を保持可能な保持溝４０が形成されている。
【００６０】
　そして、図１０に示す折取具１３の使用の際は、まず、図１０に２点鎖線で示すように、折取具１３の上方から溝部１４ａ及び第１又は第２収容孔１６，１７に固定用ビス１１の軸部１１ａ及び頭部１１ｂを収容する。次いで、図１０に矢印で示すように、軸部１１ａの先端側を固定用ビス１１の溝部１４ａに対する収容方向と直交する方向、即ち溝部１４ａのいずれか一方の内側壁側へ折り曲げる。すると、溝部１４ａの内側壁を支点として第１折取溝１２ａ又は第２折取溝１２ｂから軸部１１ａを容易に折り取ることができる。軸部１１ａを溝部１４ａの内側壁方向へ折り曲げるため、固定用ビス１１が溝部１４ａから上方へ抜け出るのを防止して、軸部１１ａの折り取り作業を効率良く行うことができる。
【００６１】
　・　図１１（ａ）に示すように、一対の分割体１３ａ、１３ｂの他端部同士を連結片３８により連結して一体化する。そして、図１１（ｂ）に示すように、両分割体１３ａ、１３ｂを互いに近付くように回動させて保持部１４を構成するとともに、両収容溝１５により溝部１４ａを形成して折取具１３を構成してもよい。
【００６２】
　・　一対の分割体１３ａ、１３ｂの締付手段として、クリップにより一対の分割体１３ａ、１３ｂを締め付けてもよく、ボルトをねじ孔１８に挿通し、そのボルトにナットを螺合して一対の分割体１３ａ、１３ｂを締め付けてもよい。
【００６３】
　・　各折取溝１２ａ、１２ｂをＶ溝状に形成せず、例えば各折取溝１２ａ、１２ｂを断面半円状や断面コ字状に切り欠いてもよい。
　・　折取具１３において、第１収容孔１６を省略して第２収容孔１７のみを形成し、溝部１４ａに固定用ビス１１を保持させたとき、第２折取溝１２ｂが折取具１３の一端縁に位置するようにしてもよい。又は第２収容孔１７を省略して第１収容孔１６のみを形成し、溝部１４ａに固定用ビス１１を保持させたとき、第１折取溝１２ａが折取具１３の一端縁に位置するようにしてもよい。また、各分割体１３ａ、１３ｂにおいて、第１及び第２収容孔１６，１７に加えて別に収容孔を形成して収容孔を３箇所以上としてもよい。
【００６４】
　・　各分割体１３ａ、１３ｂの一端縁が、第１折取溝１２ａ又は第２折取溝１２ｂの頭部１１ｂ側端縁と軸部１１ａの先端側端縁との間に位置するように、軸部１１ａに第１折取溝１２ａ又は第２折取溝１２ｂを形成してもよい。又は各分割体１３ａ、１３ｂの一端縁が、第１折取溝１２ａ又は第２折取溝１２ｂの軸部１１ａの先端側端縁に位置するように軸部１１ａに第１折取溝１２ａ又は第２折取溝１２ｂを形成してもよい。
【００６５】
　・　図１２に示すように、実施形態における他方の壁材２１ｂの厚みより厚く形成された壁材２１ｂを配線用ボックス２０の前面に配置し、第２折取溝１２ｂから軸部１１ａを折り取った固定用ビス１１を使用してその他方の壁材２１ｂの表側から固定用ビス１１を配線器具取付部３０に取り付けてもよい。
【００６６】
　また、図１２に示すように、配線器具取付部３０がボックス本体２３の開口側のみに形成された配線用ボックス２０において、第２折取溝１２ｂから軸部１１ａを折り取って固定用ビス１１を雌ねじ部３０ｂに螺合してもよい。このように構成した場合、軸部１１ａを折り取っていない固定用ビス１１を雌ねじ部３０ｂに螺合する場合と異なり、軸部１１ａが配線用ボックス２０内で露出するのが防止される。
【００６７】
　従って、配線用ボックス２０内に収容されたケーブル３９や、そのケーブル３９と配線器具３５との接続部に固定用ビス１１が接触したりするおそれをなくすことができる。加えて、配線用ボックス２０内に収容されたケーブル３９を壁２１表側に引き出すとき、ケーブル３９が固定用ビス１１に絡むのを防止してケーブル３９の壁２１表への引き出し作業を容易に行うことができる。
【００６８】
　また、配線器具取付部３０と底板２４との間に空間を形成して、配線用ボックス２０内の空間を広くして余長部を有したケーブル３９を収容することができる。
　・　図１３に示すように、配線用ボックス２０の前面側に位置するように胴縁材４１を柱２２の前面に取り付け、その胴縁材４１の前面に実施形態における他方の壁材２１ｂの厚みより厚く形成された壁材２１ｂを配置する。さらに、壁材２１ｂの前面に仕上材４２を形成する。そして、各折取溝１２ａ、１２ｂから軸部１１ａを折り取らず、その固定用ビス１１を使用して配線器具３５を配線用ボックス２０に取り付けてもよい。
【００６９】
　このように構成した場合、配線用ボックス２０の前面に、胴縁材４１、厚みの厚い他方の壁材２１ｂや仕上材４２等が配置されても固定用ビス１１を使用して配線器具３５を配線用ボックス２０に取り付けることができる。
【００７０】
　・　軸部１１ａに第１折取溝１２ａ又は第２折取溝１２ｂのいずれか一方のみを形成してもよい。固定用ビス１１と折取具１３とをセットにして施工現場に搬入し、固定用ビス１１の使用の際に折取具１３を使用してもよい。
【００７１】
　・　ボックス本体２３の各側壁２５〜２８の少なくともいずれか１つに３箇所に保持突起３３を突設し、隣接する保持突起３３の間に固定用ビス１１の軸部１１ａを保持させてもよい。
【図面の簡単な説明】
【００７２】
【図１】実施形態の固定用ビスを示す側面図。
【図２】（ａ）は折取具を示す斜視図、（ｂ）は折取具を一対の分割体に分解した状態を示す分解斜視図。
【図３】実施形態の配線用ボックスを示す部分破断斜視図。
【図４】柱に配線用ボックスを固定した状態を示す側断面図。
【図５】配線用ボックス及び配線器具保持枠を示す分解斜視図。
【図６】配線用ボックスの前面に壁材を設置した状態を示す側断面図。
【図７】折取具に固定用ビスを保持した状態を示す斜視図。
【図８】折取具を一対の分割体に分解した状態を示す分解斜視図。
【図９】配線器具を固定用ビスにより取り付けた状態を示す側断面図。
【図１０】別例の折取具を示す斜視図。
【図１１】（ａ）は別例の折取具の各分割体を示す斜視図、（ｂ）は一対の分割体を組付けた状態を示す斜視図。
【図１２】別例の配線用ボックスに配線器具を取付けた状態の側断面図。
【図１３】別例の配線用ボックスに配線器具を取付けた状態の側断面図。
【符号の説明】
【００７３】
　１１…配線器具固定用ビス、１１ａ…軸部、１１ｂ…頭部、１２ａ…第１折取溝、１２ｂ…第２折取溝、２０…配線用ボックス、２１…壁、２３…ボックス本体、３０…配線器具取付部、３５…配線器具。
【図１】
2004147497.tif 000003
【図２】
2004147497.tif 000004
【図３】
2004147497.tif 000005
【図４】
2004147497.tif 000006
【図５】
2004147497.tif 000007
【図６】
2004147497.tif 000008
【図７】
2004147497.tif 000009
【図８】
2004147497.tif 000010
【図９】
2004147497.tif 000011
【図１０】
2004147497.tif 000012
【図１１】
2004147497.tif 000013
【図１２】
2004147497.tif 000014
【図１３】
2004147497.tif 000015